(57)【要約】【課題】所望の画像情報を表示するに際し、立体表示による表示の見映えと表示の解像度とを両立させ、しかも報知の際の報知画像の認知性を高めること。【解決手段】所望の画像情報を表示する平板状の表示要素２１、２２を有し、この表示要素を利用者の右目と左目の視差により立体的に視認させるように表示する表示器２０と、  表示要素２１、２２の作動を制御し、利用者に対して視差を与える立体表示と、利用者に対して視差のない非立体表示を行わせる制御手段６０とを備え、  制御手段６０は、所定の報知時に報知画像を表示させる際、動画による立体表示を行わせることを特徴とする。【選択図】  図４
2007072125.tif 000002
【特許請求の範囲】
【請求項１】
所望の画像情報を表示する平板状の表示要素を有し、この表示要素を利用者の右目と左目の視差により立体的に視認させるように表示する表示器と、
前記表示要素の作動を制御し、利用者に対して前記視差を与える立体表示と、利用者に対して前記視差のない非立体表示を行わせる制御手段とを備え、
前記制御手段は、所定の報知時に報知画像を表示させる際、動画による立体表示を行わせることを特徴とする表示装置。
【請求項２】
前記表示器は、前記表示要素の表示面側に配置されて、利用者の右目と左目の視差により立体的に視認させる立体化部材を有することを特徴とする請求項１に記載の表示装置。
【請求項３】
前記画像情報のうち利用者に対して正確に伝える必要のある特定情報は、非立体表示されることを特徴とする請求項１または請求項２に記載の表示装置。
【請求項４】
前記特定情報は、物理量を示す情報もしくは文字情報であることを特徴とする請求項３に記載の表示装置。
【請求項５】
前記制御手段は、移動、回転、拡縮、奥行き方向の移動のうちの１つ、もしくは複数を組み合わせて前記報知画像を変化させることを特徴とする請求項１ないし請求項４のいずれかに記載の表示装置。
【請求項６】
前記制御手段は、前記報知画像を静止させた後、この報知画像もしくはこの報知画像内の特定画像を一定時間点滅させることを特徴とする請求項５に記載の表示装置。
【請求項７】
前記制御手段は、前記表示要素に対して右目用画像と左目用画像を表示させ、前記立体化部材を通して利用者の右目に前記右目用画像、左目に前記左目用画像を視認させるようにし、利用者の右目と左目の視差により立体的に視認させる立体表示を行わせることを特徴とする請求項２に記載の表示装置。
【請求項８】
前記制御手段は、前記表示要素における前記右目用画像と前記左目用画像とを同一画像表示とし、利用者に対して前記視差のない非立体表示を行わせることを特徴とする請求項７に記載の表示装置。
【請求項９】
前記制御手段は、前記表示要素の第１表示領域において、利用者に前記視差を与えて立体表示を行わせると共に、前記表示要素の第２表示領域において、利用者に前記視差のない非立体表示を行わせることを特徴とする請求項８に記載の表示装置。
【請求項１０】
前記表示器は、検出情報を示す計器画像を表示することを特徴とする請求項１ないし請求項９のいずれかに記載の表示装置。
【請求項１１】
前記表示器は、前記計器画像として、計器内の加飾画像および演出画像を立体表示することを特徴とする請求項１０に記載の表示装置。
【請求項１２】
前記立体化部材は、前記表示器の表示面全体、もしくはこの表示面の一部を覆うように配置されることを特徴とする請求項２に記載の表示装置。
【請求項１３】
前記表示器は、表示パネル上に他の計器と隣接して配置されることを特徴とする請求項２に記載の表示装置。
【発明の詳細な説明】
【技術分野】
【０００１】
本発明は、所望の画像情報を立体表示することが可能な表示装置に関する。
【背景技術】
【０００２】
従来、例えば車両用計器などに平板状の液晶パネルを用い、計器意匠や各種情報、警告情報を液晶パネル上に表示させる構成が知られている。
【０００３】
その際、表示の見映えをよくするために、視差（パララックス）バリヤ方式またはレンチキュラーレンズ方式により、液晶パネルに表示する表示画像（右目用画像と左目用画像）のうち、右目用画像が利用者の右目に、左用画像が利用者の左目に、それぞれ選択的に視認させ、利用者の右目と左目の視差により立体的に視認されるようにすることで、この表示画像を立体表示することが知られている。また、表示画像として、キャラクタが動きながら台詞を語るように立体表示することが記載されている（例えば、特許文献１を参照）。
【特許文献１】特開２００３−１３７００６号公報
【発明の開示】
【発明が解決しようとする課題】
【０００４】
しかしながら、この種の立体表示方式は、左右両目の画像を視差分割させ、これらの２つの画像から１つの立体画像を構成するため、原理的にみても立体表示させている画像は解像度が落ち、また利用者の視点が左右にぶれると上手く結像せずに像が乱れるという特徴を有している。
【０００５】
このため、例えば計器などの画像情報を立体表示させると、画像情報によっては情報を正確に表示することが難しくなり、しかも利用者の視点が左右にぶれた場合には情報を正確に表示することが一層難しくなる恐れがある。
【０００６】
本発明は、上記点に鑑みてなされたものであり、所望の画像情報を表示するに際し、立体表示による表示の見映えと表示の解像度とを両立させ、しかも報知の際の報知画像の認知性を高めることが可能な表示装置を提供することを目的とする。
【課題を解決するための手段】
【０００７】
そこで本発明は、上記目的を達成するために、各請求項に示す技術的手段を採用する。
【０００８】
請求項１に記載の本発明の表示装置によれば、所望の画像情報を表示する平板状の表示要素を有し、この表示要素を利用者の右目と左目の視差により立体的に視認させるように表示する表示器と、表示要素の作動を制御し、利用者に対して視差を与える立体表示と、利用者に対して視差のない非立体表示を行わせる制御手段とを備え、制御手段は、所定の報知時に報知画像を表示させる際、動画による立体表示を行わせることを特徴とする。
【０００９】
それにより、本発明では、所望の表示画像について立体表示と非立体表示を組み合わせることにより見映えのよい表示を行うことが可能になる。特に、画像情報の一部を非立体表示することで、この画像情報の表示の解像度を下げることを防ぎ、情報を正確に伝えることが可能になる。つまり、表示の見映えと表示の解像度を両立させることが可能になる。しかも、報知時には報知画像を立体動画表示するため、演出効果や利用者の認知性を高めることが可能になる。
【００１０】
請求項２に記載の本発明によれば、表示器は、表示要素の表示面側に配置されて、利用者の右目と左目の視差により立体的に視認させる立体化部材を有することで、請求項１と同様の効果を奏する。
【００１１】
請求項３に記載の本発明によれば、画像情報のうち利用者に対して正確に伝える必要のある特定情報は、非立体表示される。それにより、この特定情報の表示の解像度を下げることを防ぎ、しかも利用者の視点が左右に移動し（ぶれ）ても表示像が乱れることがなく、情報を正確に伝えることが可能になる。
【００１２】
請求項４に記載の本発明によれば、特定情報は、物理量を示す情報もしくは文字情報であり、このような利用者に対して正確に伝える必要のある情報について、視差のない非立体表示を行い、情報を正確に伝えることが可能になる。
【００１３】
請求項５に記載の本発明によれば、制御手段は、移動、回転、拡縮、奥行き方向の移動のうちの１つ、もしくは複数を組み合わせて報知画像を変化させることで、演出効果があり、利用者の認知性を高めることが可能になる。
【００１４】
請求項６に記載の本発明によれば、制御手段は、報知画像を静止させた後、この報知画像もしくはこの報知画像内の特定画像を一定時間点滅させることで、利用者の認知性をより一層高めることが可能になる。
【００１５】
請求項７に記載の本発明によれば、制御手段は、表示要素に対して右目用画像と左目用画像を表示させ、立体化部材を通して利用者の右目に右目用画像、左目に左目用画像を視認させるようにし、利用者の右目と左目の視差により立体的に視認させる立体表示を行わせることで、利用者に対して表示器の表示面に立体像を視認させることが可能になる。
【００１６】
請求項８に記載の本発明によれば、制御手段は、表示要素における右目用画像と左目用画像とを同一画像表示とし、利用者に対して視差のない非立体表示を行わせることで、表示器に対し制御操作により立体表示と非立体表示を行わせることが可能になる。
【００１７】
請求項９に記載の本発明によれば、制御手段は、表示要素の第１表示領域において、利用者に視差を与えて立体表示を行わせると共に、表示要素の第２表示領域において、利用者に視差のない非立体表示を行わせることで、表示器の適宜な表示面に非立体表示を行わせることが可能となる。
【００１８】
請求項１０に記載の本発明によれば、表示器は、検出情報を示す計器画像を表示し、従来の立体感のあるアナログ式計器の計器面を表示面に再現することが可能になる。
【００１９】
請求項１１に記載の本発明によれば、表示器は、計器画像として、計器内の加飾画像および演出画像を立体表示することで、計器の見映えを向上させると共に、演出効果を引き出すことが可能になる。
【００２０】
請求項１２に記載の本発明によれば、立体化部材は、表示器の表示面全体、もしくはこの表示面の一部を覆うように配置されており、表示器の全表示面に立体表示を行わせたり、表示面の一部に立体表示を行わせることが可能になる。
【００２１】
請求項１３に記載の本発明によれば、表示器は、表示パネル上に他の計器と隣接して配置されており、例えばアナログ式計器と組み合わせて立体表示を行わせることが可能になる。
【発明を実施するための最良の形態】
【００２２】
（一実施形態）
以下、本発明による表示装置を車両用コンビネーションメータに適用した場合を例に、図面に基いて説明する。もちろん、本発明は車両用メータに限らず、一般の計器や表示装置にも適用可能である。
【００２３】
（表示装置の構造）
図１は、表示装置であるコンビネーションメータ１の搭載状態を示す斜視外観図、図２は、図１のＺ―Ｚ線断面を示す拡大部分断面図、図３は、表示パネル内に指針計器画像を表示するにあたり、Ｘ―Ｙマトリックス駆動により立体表示領域と非立体表示領域とに分けて表示することを示す説明図である。
【００２４】
コンビネーションメータ１は、図1に示すように、車両の運転席９０前方のインスツルメントパネル９１に沿い、利用者である運転者が容易に視認できるような位置に配置されている。コンビネーションメータ１は、適宜に車両情報および非車両情報を表示して運転者に視認させるための平板状の表示器２として、表示パネルである液晶パネル２０を備えている。
【００２５】
この液晶パネル２０の表示画面には、一定幅で上下方向（つまり、図２において紙面と垂直方向、図３においてＹ配列方向）に延びる複数の表示要素である帯状部２１、２２のパターンが形成（描画）されるように、液晶パネル２０が表示制御される。これらの帯状部２１、２２は、図２において紙面左右方向、図３においてＸ配列方向に対して、交互に配置されている。各帯状部２１、２２は、後述する液晶制御装置６０に接続され、この液晶制御装置６０によりＸ―Ｙマトリックス駆動されて各帯状部２１には右目用画像が表示され、各帯状部２２には左目用画像が表示される。
【００２６】
そして、後述する立体化部材をなす透明カバー３０の作用により、各帯状部２１に表示される右目用画像は運転者の右目に、各帯状部２２に表示される左目用画像は運転者の左目に、それぞれ選択的に視認され、その視差により表示画像が立体的に視認される。
【００２７】
一方、各帯状部２１、２２に表示される右目用画像と左目用画像を同一画像として、運転者の右目と左目から視認される画像を同じとし、両目の視差をなくすことで平面的（非立体）に視認される。
【００２８】
本例では、液晶パネル２０の全表示領域が常に立体表示されるのではなく、図３に示すように、視認される表示画像に対して解像度が要求される、各計器の目盛り、数字などの物理量を表示したり、文字情報を表示する表示領域Ａ、および指針表示する表示領域Ｂについては、非立体表示される構成である。
【００２９】
上述の液晶パネル２０の表示面側（運転席９０側）には、この液晶パネル２０の表示面全体を覆う形で透明カバー３０が配置されている。この透明カバー３０は、視差（パララックス）バリヤ方式が採用され、パララックススリット部材として、透明なポリカーボネートなどからなるシート部３３の表裏両面に遮光帯３１、３２が形成されている。すなわち、シート部３３の裏面（液晶パネル２０側）に遮光帯３１を、シート部３３の表面（運転席９０側）に遮光帯３２を、それぞれ艶消しの黒色塗料を帯状に印刷またはホットスタンプを施すことで形成している。
【００３０】
また、各遮光帯３１、３２の幅は、液晶パネル２０の各帯状部２１、２２の幅と同一であり、各遮光帯３１、３２は、この幅と同一間隔を隔てて左右方向（図２において紙面左右方向、図３においてＸ配列方向）に等ピッチで形成され、各帯状部２１、２２の間は光通過口３１ａ、３２ａとなっている。そして、シート部３３の表裏の遮光帯３１、３２は１／２ピッチだけ左右方向（Ｘ配列方向）に形成位置をずらしている。
【００３１】
また、液晶パネル２０の裏面側（インスツルメントパネル９１側）には、バックライトをなす面状の光源４０と、光源４０からの光の面照度を均一化する拡散板５０とが配置されている。
【００３２】
次に、この液晶パネル２０の視認状態について説明する。
【００３３】
図２に示すように、各光通過口３１ａ、３２ａを右方向に結ぶ線Ｒは、帯状部２１と運転者の右目ＥＲを結ぶ線に一致する。すなわち、右目用画像を表示する帯状部２１から出射した光は各光通過口３１ａ、３２ａを通り運転者の右目ＥＲに入射する。一方、左目用画像を表示する帯状部２２から出射した光は各遮光帯３１、３２に遮られるため運転者の右目ＥＲに入射しない。
【００３４】
同様に、各光通過口３１ａ、３２ａを左方向に結ぶ線Ｌは、帯状部２２と運転者の左目ＥＬを結ぶ線に一致する。すなわち、左目用画像を表示する帯状部２２から出射した光は各光通過口３１ａ、３２ａを通り運転者の左目ＥＬに入射する。一方、右目用画像を表示する帯状部２１から出射した光は各遮光帯３１、３２に遮られるため運転者の左目ＥＬに入射しない。
【００３５】
従って、運転者は、その右目ＥＲで帯状部２１に表示される右目用画像を選択的に視認し、同時に左目ＥＬで帯状部２２に表示される左目用画像を選択的に視認することにより、立体画像が合成認識される。
【００３６】
これにより、表示画像を右目用画像信号と左目用画像信号とに分離し、右目用画像信号により液晶パネル２０の帯状部２１を、左目用画像信号により帯状部２２をそれぞれ同時に駆動することにより、表示画像を立体像として運転者に認識させることが可能となる。その際、右目用画像と左目用画像が同じにすれば、右目と左目で視認される画像の視差がなくなり、運転者には表示画像を平面的（非立体）に認識させることが可能になる。
【００３７】
（表示装置の制御構成）
次に、表示装置であるコンビネーションメータ１を制御する制御装置について説明する。図４は、表示装置のシステム全体構成を示すブロック図、図５は、液晶パネル２０に表示する各種表示内容を説明する説明図、図６は、シンボルマーク画像を立体動画表示させる作動例を示す説明図である。
【００３８】
図４において、液晶制御装置６０は、ＣＰＵ、ＲＯＭ、ＲＡＭを含むマイクロコンピュータ（マイコン）および周辺回路で構成されている。常時バッテリ９０から電力が供給されており、かつイグニッションスイッチ８０、警報もしくは音声案内用のスピーカ７０、車両状態を検出する各種センサ７１〜７５、車両ドアの開閉を検出するドアスイッチ７６、および液晶パネル２０が接続されている。なお、このスピーカ７０は、コンビネーションメータ１に内蔵のもの、もしくは別体の音響機器が利用される。
【００３９】
そこで、液晶制御装置６０は、各種センサ７１〜７６からの検出信号に基いて液晶パネル２０を駆動し、車両情報および非車両情報を適宜表示すると共に、必要に応じて液晶パネル２０上の表示に連動してスピーカ７０を駆動し、警報音、効果音または音声を発する。
【００４０】
この液晶制御装置６０は、各種センサ７１〜７６からの検出信号を処理すると共に、液晶パネル２０に表示させる画像情報を決定する制御部６１、検出信号や各種条件に応じて液晶パネル２０に表示する各種の画像情報がデータマップとして記憶された記憶部６１ａ、制御部６１からの制御信号を右目用画像信号に変換して各帯状部２１を駆動する右目駆動部６２、および制御部６１からの制御信号を左目用画像信号に変換して各帯状部２２を駆動する左目駆動部６３から構成されている。この記憶部６１ａは、制御部（マイコン）６１内のＲＯＭか、または外付けメモリで構成してある。
【００４１】
ここで、右目駆動部６２は、各帯状部２１に割り当てられたＸアドレス（ＸＲ）とＹアドレス（ＹＲ）を用いて各帯状部２１の各画素を指定し、指定された各画素の表示状態を制御する。その際、各帯状部２１において、運転者に視差を与えて立体表示を行わせる第１表示領域（図３の領域Ａ、Ｂを除く領域）と、運転者に視差のない非立体表示を行わせる第２表示領域（図３の領域Ａ、Ｂ参照）とでは、異なる画像情報が選択される。また、左目駆動部６３も同様であり、各帯状部２２に割り当てられたＸアドレス（ＸＬ）とＹアドレス（ＹＬ）を用いて各帯状部２２の各画素を指定し、指定された各画素の表示状態を制御する。
【００４２】
このように、液晶パネル２０に表示させる画像情報は全て記憶部６１ａに記憶されており、制御部６１が、検出信号や各種条件に応じて表示画面を決定し、その表示画面の生成に必要な画像情報を記憶部６１ａ内のデータマップから読み出し、表示制御することになる。
【００４３】
図５は、液晶制御装置６０が表示内容に応じて、各帯状部２１に与える右目用画像と各帯状部２２に与える左目用画像とを選択制御することで、立体像として、液晶パネル２０の表示面からの浮出し度（浮出し感）や奥行き度（奥行き感）を演出すると共に、色調や輝度の選択制御により質感や材料毎の光沢を演出する例を示す。
【００４４】
例えば、ａ．演出表示は、大きく浮出した地平線上に「Ｇｏｏｄ  Ｍｏｒｎｉｎｇ！」の文字が画面左側から画面右方向に移動することを繰り返し表示する表示モードである。
【００４５】
また、ｂ．虚像背景表示は、警告表示の際の背景表示などに利用され、比較的大きな奥行き度をもってグラデーション柄や星空柄の背景表示を行う表示モードである。
【００４６】
また、ｃ．加飾意匠形状表示は、例えば指針計器の計器外周形状を飾る加飾リングを演出する表示であり、浮出したリングの外周側を金属調、内周側をアクリル調の光沢表示とする表示モードである。
【００４７】
また、ｄ．文字板意匠形状表示は、文字板の外周部から中央部側に向けて少しへこむような奥行き度を表示する表示モードである。
【００４８】
また、ｅ．目盛・数字・文字情報表示は、解像度が要求されるため立体像とせずに非立体表示（２次元表示）する表示モードである。
【００４９】
また、ｆ．指針ハブ形状表示は、例えば指針計器の指針中心部を浮出した金属調の光沢表示とする表示モードである。
【００５０】
また、ｇ．指針形状表示は、解像度が要求されるため指針ハブ（中心部）から延びる指針先端側の指示部分のみ、または指針全体を非立体表示する表示モードである。なお、上述の金属調、アクリル調とは、金属やアクリル樹脂がもつ光沢を意味する。
【００５１】
特に、ここで表示される計器画像は、立体的な加飾が施された従来のアナログ式計器の計器面を再現する例である。その際、全ての画像情報を立体表示するのではなく、そのうちの特定情報として、運転者に対して正確に伝える必要のある情報については、非立体表示（２次元表示）する。
【００５２】
このように請求項３に記載の特定情報とは、運転者に対して正確に伝える必要のある情報であり、物理量を示す情報もしくは文字情報であり、例えば計器の指示内容に関係する指針、目盛、数字、文字などの重要表示情報を意味する。
【００５３】
次に、図６は、所定の報知時に報知画像を表示させる際、動画による立体表示を行わせ、報知画像もしくは報知画像内の特定画像を、移動、回転、拡縮（拡大や縮小）、奥行き方向の移動のうちの１つ、もしくは複数を組み合わせて変化させることで、演出効果や運転者の認知性を高めることを目的としている。ここでは、特定画像としてシンボルマーク画像を立体動画表示させる作動例を示す。
【００５４】
まず、（ａ）は、シンボルマーク画像が遠方（表示面より奥側）から手前（表示面より上面）に拡大しながら移動し、その手前位置で静止してシンボルマーク像を一定時間だけフラッシング（点滅表示）する作動例である。この場合、手前に移動する切迫感とフラッシングにより運転者の認知性を向上させることが可能になる。
【００５５】
また、（ｂ）は、シンボルマーク画像が同じ位置において高速回転した後に、徐々に低速回転に変化し、静止してシンボルマーク像を一定時間だけフラッシング（点滅表示）する作動例である。この場合、回転による目移り感とフラッシングにより運転者の認知性を向上させることが可能になる。
【００５６】
また、（ｃ）は、シンボルマーク画像が遠方（表示面より奥側）から手前（表示面より上面）に拡大かつ回転しながら移動し、その手前位置で静止してシンボルマーク像を一定時間だけフラッシング（点滅表示）する作動例である。この場合、手前に移動する切迫感と、回転による目移り感とフラッシングにより運転者の認知性を向上させることが可能になる。
【００５７】
このような動画表示（ａ）、（ｂ）、（ｃ）のいずれかを、図１０中のシンボルマーク画像の演出表示に用いることにより、運転者による認知性をさらに向上させることが可能になる。
【００５８】
（作動）
次に、表示装置の作動を、図７に示すフローチャートに従って説明する。
【００５９】
本実施形態では、運転者がドアを開けて乗車し、イグニッションスイッチ８０をＯＮにして運転を開始し、その後イグニッションスイッチ８０をＯＦＦにするまでの過程における表示作動例について順を追って説明する。
【００６０】
〈ドアスイッチ７６がＯＦＦの場合〉
制御部（マイコン）６１は実質的に作動を停止するＳｌｅｅｐモードにあり、図７に示すフローチャートは実行されない。従って、液晶表示制御は停止されたままで液晶パネル２０には何も表示されない。
【００６１】
〈ドアスイッチ７６がＯＮの場合〉
制御部６１は、ドアスイッチ７６よりドア開放状態を示すドア開信号を受けてＳｌｅｅｐモードからＷａｋｅｕｐモードとなり、図７に示すフローチャートの処理を開始する。
【００６２】
まず、ステップｓ１０１において、液晶パネル２０を作動させて液晶表示制御を可能にする。続いて、ステップｓ１０２において、液晶パネル２０に対しＷｅｌｃｏｍｅ演出表示モードを行わせるために、記憶部６１ａより該当する画像情報（右目用画像情報と左目用画像情報）を読み出し、この画像情報に基いて液晶パネル２０を制御することで、Ｗｅｌｃｏｍｅ演出表示モードを開始する。その後、ステップｓ１０３において、イグニッションスイッチ８０がＯＦＦのときはステップｓ１０１に戻ることになるため、イグニッションスイッチ８０がＯＦＦ状態にある期間は、このＷｅｌｃｏｍｅ演出表示モードを継続する。
【００６３】
このＷｅｌｃｏｍｅ演出表示モードは、図８に示すように、報知画像として、例えば大きく浮出した地平線上に、特定画像である「Ｇｏｏｄ  Ｍｏｒｎｉｎｇ！」の文字画像が画面左側から画面右方向に移動することを繰り返し表示する、非車両情報の立体動画表示モードである。この時、地平線や文字画像は立体像として液晶パネル２０から浮出すように視認され、演出効果を高めることが可能である。
【００６４】
とりわけ、地平線、文字、背景領域の色調をコントラストのある色調に設定したり、またその色調を時間と共に変化させることでより演出効果をより高めることが可能になる。またこの時、スピーカ７０から、女性の声で例えば「こんにちは。今日も安全運転でお願いね。」と音声を出力するようにすれば、より一層演出効果を高めることが可能になる。その他にも、動物や人物などのキャラクタの動画表示を追加することで、演出効果を高めるようにしてもよい。
【００６５】
〈イグニッションスイッチ８０がＯＮの場合〉
運転者によりイグニッションスイッチ８０がＯＮされると、Ｗｅｌｃｏｍｅ演出表示モードは直ちに停止される。この時、ステップｓ１０４において、エンジン始動操作中であればステップｓ１０５に進み、液晶表示制御をエンジン始動操作の期間中は中止する。これは、エンジン始動期間中はバッテリ電圧が低下したり大きく変動したりするため、液晶パネル２０に不安定な表示を行わせないためと、エンジン始動を優先させて電力供給するためである。
【００６６】
続いて、エンジン始動後はｓ１０６〜ｓ１０９に進み、図９に示すように、車両情報を表示制御する通常表示モードを開始させる。本例では、指針計器画像として、速度計１１、回転計１２、水温計１３、および燃料計１４の各画像が液晶パネル２０に表示される。各計器１１〜１４は、それぞれ車速センサ７１、エンジン回転センサ７２、水温センサ７３、および燃料液面センサ７４からの検出信号に基いて液晶制御装置６０が液晶パネル２０を適宜に駆動制御することにより表示される。
【００６７】
ここで、各計器１１〜１４を示す画像の表示制御処理について説明する。
【００６８】
まず、ステップｓ１０６では、図４に示す車速センサ７１からの車速信号に基いて車速を検出し、この検出した車速情報に基いて速度計１１の指針位置を決定し、図９に示すような速度計画像を液晶パネル２０に表示させる。
【００６９】
その際、この速度計画像を作成する画像データは、各帯状部２１に与える右目用画像データおよび各帯状部２２に与える左目用画像データの形で記憶部６１ａに予め記憶されている。また、指針１１ａを表示する指針画像データとしては、回動範囲内の各指針位置を示す複数の画像データが用意され、車速情報に基いて画像データを選択できるように、記憶部６１ａに予め記憶されている。
【００７０】
しかも、上述した画像データは、表示領域に応じて種々の立体表示もしくは非立体表示を行うことができるデータ構成に予め設定されている。具体的には、指針画像１１ａおよび目盛画像の一部と数字画像１１ｄを表示する領域は非立体表示する画像データであり、指針ハブ画像１１ｂ、文字板画像１１ｃ、目盛付きアクリル調リング画像１１ｅ、および金属調加飾リング画像１１ｆを表示する領域は立体表示する画像データである。
【００７１】
そこで、本例では指針画像１１ａおよび目盛画像の一部と数字画像１１ｄは非立体（２次元）表示され、文字板画像１１ｃは緩やかな奥行き度をもった立体形状に表示され、指針ハブ画像１１ｂ、目盛付きアクリル調リング画像１１ｅ、および金属調加飾リング画像１１ｆはぞれぞれの色調、質感をもって浮出す立体形状に表示される。
【００７２】
これにより、指針ハブ画像１１ｂや計器外周の各リング画像１１ｅ、１１ｆは、色調と立体像による演出効果が強調される一方、計器としての解像度が要求される指針画像１１ａと目盛数字画像１１ｄは、非立体表示（２次元表示）とすることで解像度を低下させることがない。さらに、指針画像１１ａの指示位置や目盛数字画像１１ｄ側の指示量を正確に表示することができ、しかも運転者の視線がずれたときでもその表示が乱れることを防止することができる。
【００７３】
次に、ステップｓ１０７では、図４に示すエンジン回転センサ７２からの回転信号に基いてエンジン回転数を検出し、この検出した回転数情報に基いて回転計１２の指針位置を決定し、図９に示すような回転計画像を液晶パネル２０に表示させる。
【００７４】
その際、この回転計画像を作成する画像データは、速度計画像データと同様に、各帯状部２１に与える右目用画像データおよび各帯状部２２に与える左目用画像データの形で記憶部６１ａに予め記憶されている。また、指針１２ａを表示する指針画像データとしては、回動範囲内の各指針位置を示す複数の画像データが用意され、エンジン回転数に基いて画像データを選択できるように、記憶部６１ａに予め記憶されている。
【００７５】
しかも、上述した画像データは、指針画像１２ａ、数字画像１２ｃおよび目盛画像１２ｄを表示する領域は非立体表示する画像データであり、指針ハブ画像１２ｂ、文字板画像１２ｅ、およびアクリル調リング画像１２ｆを表示する領域は立体表示する画像データである。
【００７６】
そこで、本例では指針画像１２ａ、数字画像１２ｃおよび目盛画像１２ｄは、解像度を低下させることのない２次元（非立体）表示され、文字板画像１２ｅは緩やかな奥行き度をもった立体形状に表示され、指針ハブ画像１２ｂ、およびアクリル調リング画像１２ｆは、ぞれぞれの色調、質感をもって浮出す立体形状に表示される。
【００７７】
次に、ステップｓ１０８では、図４に示す水温センサ７３からの水温信号に基いてエンジン冷却水温度を検出し、この検出した冷却水温度に基いて水温計１３の指針位置を決定し、図９に示すような水温計画像を液晶パネル２０に表示させる。また、ステップｓ１０９では、液面センサ７４からの検出信号に基いて燃料タンク内の残燃料量を検出し、この検出した残燃料量に基いて燃料計１４の指針位置を決定し、図９に示すような燃料計画像を液晶パネル２０に表示させる。
【００７８】
その際、これらの計器画像を作成する画像データは、速度計画像データと同様に、各帯状部２１に与える右目用画像データおよび各帯状部２２に与える左目用画像データの形で記憶部６１ａに予め記憶されている。また、指針１３ａ、１４ａを表示する指針画像データとしては、回動範囲内の各指針位置を示す複数の画像データが用意され、冷却水温度や残燃料量に基いて画像データを選択できるように、記憶部６１ａに予め記憶されている。
【００７９】
しかも、上述した画像データは、指針画像１３ａ、１４ａ、および目盛画像１３ｃ、１４ｃを表示する領域は非立体表示する画像データであり、指針ハブ画像１３ｂ、１４ｂ、シンボルマーク画像１３ｄ、１４ｄ、文字板画像１３ｅ、およびアクリル調リング画像１３ｆを表示する領域は、立体表示する画像データである。
【００８０】
そこで、本例では指針画像１３ａ、１４ａ、および目盛画像１３ｃ、１４ｃは、解像度を低下させることのない２次元（非立体）表示され、文字板画像１３ｅは緩やかな奥行き度をもった立体形状に表示され、指針ハブ画像１３ｂ、１４ｂ、シンボルマーク画像１３ｄ、１４ｄ、およびアクリル調リング画像１３ｆは、ぞれぞれの色調、質感をもって浮出す立体形状に表示される。
【００８１】
次に、ステップｓ１１０、ｓ１１１において、各センサ７１〜７６の検出項目に異常がなく、しかもイグニッションスイッチ８０がＯＮ状態にあれば、この通常表示モードを継続する。
【００８２】
一方、検出項目のいずれかに異常が発生すると、ステップｓ１１０からステップｓ１１３、ｓ１１４に進み、異常表示モードの表示制御処理を行う。
【００８３】
本例では、図１０に示すように、報知画像として、特定画像であるシンボルマーク画像１５、および異常メッセージ画像と必要最小限の計器画像とを液晶パネル２０に表示させる。しかも、シンボルマーク画像１５は、図６（ａ）に示すように、シンボルマーク画像１５が立体動画像として遠方より手前に拡大しながら移動し、その後静止して一定時間フラッシング（点滅表示）することで、運転者の認知性を高めている。
【００８４】
ここでは、センサ７５としてパーキングブレーキの解除検出センサがあり、液晶制御装置６０が、パーキングブレーキが解除されない状態で車両が走行状態にあることを検出すると、運転者に緊急警告する目的で、液晶パネル２０の表示画像を図１０に示すような報知画像に切り替える。
【００８５】
その際、報知画像として、異常項目であるパーキングブレーキを示すシンボルマーク画像１５、その他に、例えば、「パーキングブレーキを解除してください」というメッセージを伝える異常メッセージ画像１６、車両運行上に必要な車速情報を示す車速画像１７、および演出表示として奥行き感があり、しかも所定色調のグラデーション柄の虚像背景画像１８を作成する画像データが、異常表示モード指示に基いて記憶部６１ａから読み出され、液晶パネル２０に表示される。
【００８６】
この他にも、異常項目の緊急度に応じて表示色を変化させたり、またスピーカ７０から警告音または注意を喚起する音声を同時に発生させるようにしてもよい。
【００８７】
その後、異常が解除されると、ステップｓ１１４からｓ１０６〜ｓ１０９に進み、通常表示モードに戻り、イグニッションスイッチ８０がＯＦＦされるまで通常表示モードを継続する。
【００８８】
〈イグニッションスイッチ８０がＯＦＦの場合〉
運転者によりイグニッションスイッチ８０がＯＦＦされると、ステップｓ１１２において、Ｇｏｏｄｂｙ演出表示モードは開始される。
【００８９】
このＧｏｏｄｂｙ演出表示モードは、図８に示すＷｅｌｃｏｍｅ演出表示モードと同様に、報知画像として、例えば大きく浮出した地平線上に、特定画像である「Ｇｏｏｄｂｙ！」の文字画像が画面左側から画面右方向に移動することを繰り返し表示する、非車両情報の立体動画表示モードである。この時、地平線や文字画像は立体像として液晶パネル２０から浮出すように視認され、演出効果を高めることが可能である。
【００９０】
とりわけ、地平線、文字、背景領域の色調をコントラストのある色調に設定したり、またその色調を時間と共に変化させることでより演出効果をより高めることが可能になる。またこの時、スピーカ７０から、女性の声で例えば「お疲れ様でした。」と音声を出力するようにすれば、より一層演出効果を高めることが可能になる。その他にも、動物や人物などのキャラクタ表示を追加し、このキャラクタを立体動画像として浮き出させることで演出効果を高めるようにしてもよい。
【００９１】
これら一連の動作および音声出力などが終了すると、液晶制御装置６０はＷａｋｅｕｐモードからＳｌｅｅｐモードに入り、制御動作を停止し、液晶パネル２０の表示も停止する。
【００９２】
なお、異常表示モード時の報知画像として、ステップｓ１１３では、図１０に示すようにパーキングブレーキが解除されないで走行した場合の報知画像を例示している。この他にも、液晶制御装置６０が例えばエンジン冷却水温度が異常に上昇する状態を検出すると、運転者に緊急警告する目的で、液晶パネル２０の表示画像を図１１に示すような報知画像に切り替えるようにしてもよい。しかも、シンボルマーク画像１５は、図６（ｃ）に示すように、シンボルマーク画像１５が立体動画像として遠方より手前に拡大かつ回転しながら移動し、その後静止して一定時間フラッシング（点滅表示）することで、運転者の認知性を高めることが可能になる。
【００９３】
また、表示の際、報知画像として、異常項目であるエンジン冷却水温度を示すシンボルマーク画像１５、その他に、例えば、「オーバーヒートです。車両を止めてください」というメッセージを伝える異常メッセージ画像１６、および車両運行上に必要な車速情報を示す車速画像１７を作成する画像データが、異常表示モード指示に基いて記憶部６１ａから読み出され、液晶パネル２０に表示されるようにしてもよい。
【００９４】
上述したように本実施形態によれば、コンビネーションメータ１を構成する各種計器画像や演出画像を、液晶パネル２０に立体表示して見映えを良くすることが可能になる。しかも、その際、全ての画像情報を立体表示するのではなく、そのうちの特定情報として、運転者（利用者）に対して正確に伝える必要のある情報、例えば計器の指示内容に関係する指針、目盛、数字、文字などの重要表示情報については、視差のない非立体表示（２次元表示）している。
【００９５】
これにより、重要表示情報については、解像度を下げることをなくし、しかも運転者の視点が左右に移動し（ぶれ）ても表示像が乱れることがなく、情報を正確に伝えることが可能になる。また、立体化部材３０による立体表示独特の視認時の違和感も発生せず、情報が見やすくなる。
【００９６】
また、液晶制御装置６０の表示制御により、所定の報知時に報知画像を表示させる際、ドアスイッチ７６のＯＮ時のＷｅｌｃｏｍｅ演出表示モードやイグニッションスイッチ８０のＯＦＦ時のＧｏｏｄｂｙ演出表示モード、および検出項目のいずれかに異常が発生すると表示する異常表示モードのように、報知画像もしくは報知画像内の特定画像（例えば、シンボルマーク画像や文字画像）を変化させるように立体動画表示している。これにより、演出効果や、運転者による認知性（気づきやすさ）をさらに高めることが可能になる。
【００９７】
また、上記表示モードおよび通常表示モードにおいて、立体画像、色調、および音による総合的な演出効果や見映えを向上させることが可能になる。また、通常表示モードにおいては計器画像の加飾や質感を向上させ、立体的な加飾が施された従来のアナログ式計器のような質感のある計器面を再現することが可能になる。
【００９８】
（他の実施形態）
上記実施形態では、立体化部材である透明カバー３０は、液晶パネル２０の表示面全体を覆うように配置された表示装置を例としているが、図１２（ａ）に示すように、例えば速度計１１と回転計１２との中間表示領域など、液晶パネル２０Ａの一部表示領域のみに立体化部材を配置し、立体表示部２１を設けた表示装置に対し、本発明を適用してもよい。この場合、液晶パネル２０Ａ内の立体表示領域は限られるものの、解像度を低下させない計器画像表示と、演出効果や認知性を向上させる立体画像表示とを適度にバランスさせて表示させることが可能になる。
【００９９】
また、図１２（ｂ）に示すように、液晶パネル２０に代えて、アナログ式メータ１１、１２を搭載するコンビネーションメータ１の文字板の一部領域上に、立体表示用の液晶パネル２０Ｂを搭載する表示装置に対し、本発明を適用してもよい。この場合、アナログ式メータ１１、１２に対して、演出効果や認知性を向上させる立体画像表示を付加することが可能になる。
【０１００】
また、上記実施形態では、図４に示すように、液晶制御装置６０において右目駆動部６２と左目駆動部６３に分けて設け、右目駆動部６２は液晶パネル２０の各帯状部２１を駆動し、左目駆動部６３は液晶パネル２０の各帯状部２２を駆動している。それに対し、図１３に示すように、右目駆動部６２と左目駆動部６３に分けずに、液晶パネル２０全体をＸデコーダ６４とＹデコーダ６５で駆動するようにし、記憶部６１ａ内のデータマップとして、右目用の各帯状部２１および左目用の各帯状部２２の表示画像を含む液晶パネル全体画像データを設定記憶するようにしてもよい。
【０１０１】
なお、上記実施形態では、表示器２として、例えばＴＦＴタイプの液晶パネル２０を用いたが、有機ＥＬ、ＦＥＤ、ＣＲＴなど他の表示器でもよい。また、表示駆動方式はアクティブ駆動方式やパッシブ駆動方式のいずれでもよい。
【０１０２】
また、上記実施形態では、立体化部材として、透明カバー３０にパララックススリット部材が用いたが、半円球形レンズを横方向に多数配列したレンチキュラーレンズ部材を用いても同様の効果が得られる。
【０１０３】
また、上記実施形態では、本発明を車両用コンビネーションメータ１に適用しているが、それ以外にも、利用者が表示装置の表示内容をその正面から確認するような一般の計器や表示装置にも本発明を適用可能である。
【０１０４】
また、上記実施形態では、コンビネーションメータ１の車両情報を、速度計１１、回転計１２、水温計１３、燃料計１４としているが、走行距離計や、変速シフト位置表示装置や車外温度計などの他の表示計を追加したり、入れ替えたりしてもよい。
【０１０５】
また、上記実施形態では、図９に示すように、各計器１１〜１４の指針１１ａ〜１４ａの全体を表示しているが、図５の指針形状表示ｇや図３の表示領域Ｂに示すように、指針１１ａ〜１４ａの先端部だけを非立体表示させるようにしても、指示位置を正確に表示することは可能である。
【図面の簡単な説明】
【０１０６】
【図１】本発明の一実施形態である表示装置（コンビネーションメータ１）の搭載状態を示す斜視外観図である。
【図２】図１中のＺ―Ｚ線断面を示す拡大部分断面図である。
【図３】表示パネル内に立体表示領域と非立体表示領域とに分けて表示することを示す説明図である。
【図４】表示装置のシステム全体構成を示すブロック図である。
【図５】液晶パネル２０に表示する各種表示内容を説明する説明図である。
【図６】シンボルマーク画像を立体動画表示させる作動例を示す説明図である。
【図７】表示装置の作動を示すフローチャートである。
【図８】Ｗｅｌｃｏｍｅ演出表示モードの表示画面を示す説明図である。
【図９】通常表示モードの表示画面を示す説明図である。
【図１０】異常表示モードの表示画面を示す説明図である。
【図１１】他の異常表示モードの表示画面を示す説明図である。
【図１２】本発明の他の実施形態である表示装置の説明図である。
【図１３】本発明の他の実施形態である表示装置のシステム全体構成を示すブロック図である。
【符号の説明】
【０１０７】
１    コンビネーションメータ
２    表示器
１１  速度計
１２  回転計
１３  水温計
１４  燃料計
２０  液晶パネル
２１、２２  帯状部（表示要素）
３０  透明カバー（立体化部材）
３１、３２  遮光部
６０  液晶制御装置（制御手段）
６１  制御部
６２  右目駆動部
６３  左目駆動部
７０  スピーカ
７６  ドアスイッチ
８０  イグニッションスイッチ
【図１】
2007072125.tif 000003
【図２】
2007072125.tif 000004
【図３】
2007072125.tif 000005
【図４】
2007072125.tif 000006
【図５】
2007072125.tif 000007
【図６】
2007072125.tif 000008
【図７】
2007072125.tif 000009
【図８】
2007072125.tif 000010
【図９】
2007072125.tif 000011
【図１０】
2007072125.tif 000012
【図１１】
2007072125.tif 000013
【図１２】
2007072125.tif 000014
【図１３】
2007072125.tif 000015